(57)【要約】【課題】上下いずれか一方の箸本体部分が紛失することがなく、使い勝手のよい折りたたみ箸を提供できるようにする。【解決手段】箸本体の連結嵌合部が、連結嵌合部が、小径嵌合部と、この小径嵌合部が着脱可能に嵌合する嵌合孔部とで構成するとともに、上下の箸本体部分を進退可能に導出した索条で連結するようにし箸本体の不使用時には連結嵌合部で上下の箸本体部分に分離し、引き出された索条部分で折り曲げて二つ折りにして箸収納具に収納可能にした。【選択図】図２
2008099857.tif 000002
【特許請求の範囲】
【請求項１】
箸本体が上下に分割可能に構成され、使用時に連結嵌合部で連結された箸本体の１対で１膳の箸として使用される箸本体であって、連結嵌合部が、下方の箸本体部分の上端部を小径嵌合部に形成し、若しくは上端部に小径嵌合部を形成し、上方の箸本体部分の下端部に前記小径嵌合部が着脱可能に嵌合する嵌合孔部を設けてなり、上方の箸本体部分の内方に索条収納部を形成し、一端に抜け止め部を備えた可撓性を有する索条を索条収納部に収納し、索条収納部に収納された索条を前記嵌合孔部から進退可能に導出するとともに、導出した索条の端部を前記可能の箸本体部分の上端部分に連結し、箸本体の不使用時には連結嵌合部で上下の箸本体部分に分離し、引き出された索条部分で折り曲げて二つ折りにして箸収納具に収納可能に構成したことを特徴とする折りたたみ可能な箸。
【請求項２】
連結嵌合部の嵌合孔が螺子孔であって、小径嵌合部が螺子孔に螺合する雄螺子で構成したことを特徴とする請求項１に記載の折りたたみ可能な箸。
【発明の詳細な説明】
【技術分野】
【０００１】
本発明は箸に関し、特に箸の本体が分割できるようにした折りたたみ可能な箸に関するものである。
【背景技術】
【０００２】
一般に箸は先端に行くほど徐々に細くなった長い１本の箸本体を１対にして１膳の箸を構成している。
こうした長い一本ものの箸本体からなる箸では、嵩張ることから行楽に持って行ったり、例えば女性用の小型の弁当ケース等に添えたりするのには不便であった。
【０００３】
こうした問題に対処するために、使用時に連結部で連結された箸本体の１対で１膳の箸として使用される箸本体を、上下に分割可能に構成したものが先に提案されている。
この先の提案にかかる箸の箸本体はその連結部が、一方の箸本体の端部にスリットが側方に形成された嵌合孔と、他方の箸本体の端部に上記嵌合孔に嵌合する小径嵌合部とからなり、箸本体は完全に常備に分離されるようになっている。
【０００４】
このように箸本体が上下に完全に分離するものでは、上下いずれか一方が紛失しやすいという問題があった。したがって、その管理が難しく、特に本数が多くなるとその問題も顕著になる。
【０００５】
しかも、スリットが開く方向に力がかかると箸本体が上下に分離しやすくなるために、箸の持ち方、つまり、箸の使いかたにも配慮しなくてはならず、非常に使いつらいものとなってしまうという問題もある。
【特許文献１】実開平４−４８８７０号公報
【発明の開示】
【発明が解決しようとする課題】
【０００６】
本発明は上記問題点鑑み提案されたもので、上下いずれか一方の箸本体部分が紛失することがなく、使い勝手のよい折りたたみ箸を提供できるようにすることを目的とするものである
【課題を解決するための手段】
【０００７】
上記目的を達成するために本発明にかかる折りたたみ箸は、箸本体が上下に分割可能に構成され、使用時に連結嵌合部で連結された箸本体の１対で１膳の箸として使用される箸本体であって、連結嵌合部が、下方の箸本体部分の上端部を小径嵌合部に形成し、若しくは上端部に小径嵌合部を形成し、上方の箸本体部分の下端部に前記小径嵌合部が着脱可能に嵌合する嵌合孔部を設けてなり、上方の箸本体部分の内方に索条収納部を形成し、一端に抜け止め部を備えた可撓性を有する索条を索条収納部に収納し、索条収納部に収納された索条を前記嵌合孔部から進退可能に導出するとともに、導出した索条の端部を前記下方の箸本体部分の上端部分に連結し、箸本体の不使用時には連結嵌合部で上下の箸本体部分に分離し、引き出された索条部分で折り曲げて二つ折りにして箸収納具に収納可能に構成したことを最も主要な特徴とするものである。
【０００８】
また、本発明にかかる折りたたみ可能な箸では、連結嵌合部の嵌合孔が螺子孔であって、小径嵌合部が螺子孔に螺合する雄螺子で構成したことも特徴とするものである。
【発明の効果】
【０００９】
本発明の折りたたみ可能な箸によれば、使用時に連結嵌合部で連結された箸本体の１対で１膳の箸として使用される箸本体であって、連結嵌合部が、小径嵌合部と、この小径嵌合部が着脱可能に嵌合する嵌合孔部とで構成するとともに、上下の箸本体部分を進退可能に導出した索条で連結するようにし箸本体の不使用時には連結嵌合部で上下の箸本体部分に分離し、引き出された索条部分で折り曲げて二つ折りにして箸収納具に収納可能にしてあるので、上下いずれか一方の箸本体部分が紛失することを確実の防止することができる利点がある。
【００１０】
しかも、連結部が、小径嵌合部と、この小径嵌合部が着脱可能に嵌合する嵌合孔部とで構成されていることから、先の提案にかかるような方向性が無く、いずれの方向でも使用することができるので、使い勝手のよい折りたたみ可能な箸にすることができるという利点がある。
【発明を実施するための最良の形態】
【００１１】
以下、本発明にかかる折りたたみ可能な箸の最も好ましい実施の形態を図面に基づいて説明する。
図１は折りたたみ可能な箸を使用している斜視図であって、符号１は本発明にかかる折りたたみ可能な箸を全体的に示す。
この折りたたみ可能な箸１は１対の箸本体２・２で形成されており、各箸本体２は図２に示すように、連結嵌合部３で連結された上下の箸本体部分４・５からなり、各箸本体部分４・５は合成樹脂で成型されている。
【００１２】
上方の箸本体部分４は、図２に示すように、その内方に上方から穿設した空間の上部開口を栓体６で閉塞した索条収納部７が形成されるとともに、当該索条収納部７の下方には後述する連結嵌合部３の１部を形成する嵌合孔部８が設けられている。
上記連結嵌合部３は、上方の箸本体部分４の下端部に形成した前記嵌合孔部８と、先細りのテーパー状に形成された下方の箸本体部分５の上端部が上記嵌合孔部８に嵌合するように形成された小径嵌合部９とで形成してある。
尚、連結嵌合部３の嵌合孔部８と、これに嵌合する小径嵌合部８とは螺子嵌合にすることもできる。
【００１３】
そして、上方の箸本体部分４の内方に形成された索条収納部７には、一端に抜け止め部１０を備えたナイロン等の可撓性を有する索条１１を索条収納部７に収納してある。
索条収納部７に収納された索条１１は、上方の箸本体部分４の索条収納部７の底部に形成された挿通孔１２を通り、この嵌合孔部８から進退可能に導出され、導出された索条１１の端部は、下方の箸本体部分４の上端部分に接着若しくは溶着等の接続手段で連結してある。
【００１４】
上記のように形成された箸本体２を使用する場合、上下の箸本体部分４・５を連結嵌合部３で連結して図２に示すように１本の箸本体２にし、これを二つ揃えて図１に示すように１膳の箸として使用する。
この上下の箸本体部分４・５を連結嵌合部３で連結して１本の箸本体２にした時、下方の箸本体部分５の上端部分に連結された索条１１は挿通孔１２から索条収納部７に入り込んで収納される。
そして、箸１の使用時は、連結嵌合部３が上方の箸本体部分４の下端部に形成した嵌合孔部８と、下方の箸本体部分５の上端部に形成された小径嵌合部９との嵌合であることから、箸本体２はどの方向からも同じように使用することができる。
【００１５】
次に、箸１を使用した後、箸収納具１３に収納する場合、下方の箸本体部分５の上端部に形成された小径嵌合部９を上方の箸本体部分４の下端部に形成した嵌合孔部８との嵌合を解き、上下の箸本体部分４・５を相対的に離間させて索条収納部７から索条１１を引き出した後、図３に示すように当該索条部分１１で上下の箸本体部分４・５を二つ折りに折り曲げる。
斯くして二つ折にされた１膳の箸本体２は、図４乃至図６に示すように、合成樹脂で上部が開口し、二つ折にされた箸本体２のそれぞれを個別に収納する空間が設けられた縦長のケースで形成され箸収納具１３に収納される。
【００１６】
尚、上記実施の形態では、上下の箸本体部分４・５を合成樹脂で形成するようにしてあり、こうした場合には工業的に大量生産に有利であるが、こうしたものに限られず、上下の箸本体部分４・５の一方または双方を木や竹等の天然素材にすることができるのはいうまでもないことである。
また、上記索条１１は、ナイロンに代えて他の合成樹脂は勿論のこと、天然繊維やステンレスの極細繊維束等で形成することもできる。
【図面の簡単な説明】
【００１７】
【図１】は本発明にかかる折りたたみ可能な箸の使用状態を示す斜視図である。
【図２】は本発明にかかる折りたたみ可能な箸の箸本体の一部を切り欠いた正面図である。
【図３】は本発明にかかる折りたたみ可能な箸の箸本体を二つおりにした状態の一部を切        り欠いた正面図である。
【図４】は本発明にかかる折りたたみ可能な箸の箸本体を二つおりにして箸収納具に収納        した状態の一部を切り欠いた正面図である。
【図５】は本発明にかかる折りたたみ可能な箸の箸本体を二つおりにして箸収納具に収納        した状態の縦断正面図である。
【図６】は本発明にかかる折りたたみ可能な箸の箸本体を二つおりにして箸収納具に収納        した状態の平面図である。
【符号の説明】
【００１８】
１・・・箸
２・・・箸本体
３・・・連結嵌合部
４・・・上方の箸本体部分
５・・・下方に箸本体部分
７・・・索条収納部
８・・・嵌合孔部
９・・・小径嵌合部
１０・・・抜け止め部
１１・・・索条
１３・・・箸収納具
【図１】
2008099857.tif 000003
【図２】
2008099857.tif 000004
【図３】
2008099857.tif 000005
【図４】
2008099857.tif 000006
【図５】
2008099857.tif 000007
【図６】
2008099857.tif 000008